【手続補正書】
【提出日】平成20年9月2日(2008.9.2)
【手続補正１】
【補正対象書類名】明細書
【補正対象項目名】特許請求の範囲
【補正方法】変更
【補正の内容】
【特許請求の範囲】
【請求項１】  ルーティング・デバイスを経たデータを順序付る方法において、
データ内容の決定し、
データの内容に基づいてスコアをデータに割当て、
ルーティング・デバイスを経てのデータの選択的送信のためにスコアに基づいてデータの並べ替えを行う、
ステップからなる方法。
【請求項２】  請求項１の方法において、データ内容の決定する前記ステップは、
ルーティング・デバイスの受信ポートにおいて１つ又はそれ以上のデータエントリの受信を記録し、及び
データ内容を評価する、
ステップを含む方法。
【請求項３】  請求項１の方法において、スコアをデータに割当る前記ステップは、
データの内容に基づくデータの初期スコアを確立し、及び
１つ又はそれ以上の調整されたスコアを決める為に１つ又はそれ以上の代用のスコア要素により初期スコアを調整する、
ステップを含む方法。
【請求項４】  請求項１の方法において、データを並べ替える前記ステップは、
調整されたスコアを比較し、
調整されたスコアに基づき並べ替えられたキュウ内のデータの配置替えを行い、
最高調整スコアを持つデータを選び出し、及び
最高調整スコアを持つデータをルーティング・デバイスを経て送信する、
ステップを含む方法。
【請求項５】  スイッチを介する選択的送信の為のキュウド・フレームのスコアリングの方法において、
各フレームに対して、
前記フレームを受信し、
前記フレームの内容を評価し、
前記フレームに初期スコアをわりあて、
前記フレームの受信ポートを識別し、
前記フレームの受信ポートに基づき初期スコアを調整し、
前記フレームのキュウ上での累積時間の計算し、
キュウ上での時間を基に初期スコアを調整し、
そしてその後、
最高のスコアを持つフレームの選択し、
スイッチを経て前記選択されたフレームを送信する
ステップを含む方法。
【請求項６】  請求項５の方法において、前記フレームを受信する前記ステップはどんな順序でもフレームを受信するステップを含む方法。
【請求項７】  請求項６の方法において、前記フレームの内容を評価する前記ステップは少なくとも１つのＱｏＳ値を用い各フレームに初期スコアをわりあてるステップを含む方法。
【請求項８】  請求項７の方法において、前記フレームの受信ポートを識別する前記ステップは少なくとも１つのスイッチ内の発信ポートに関してキュウド・フレームを探すステップを含む方法。
【請求項９】  請求項８の方法において、キュウ上での累積時間を計算する前記ステップはある発信ポート内に前記フレームが残っている時間を決めるステップを含む方法。
【請求項１０】  請求項９の方法において、前記フレームに初期スコアをわりあてる前記ステップは１つ又はそれ以上の調整スコアを決める為に１つ又はそれ以上の代用スコア要素の適用によって初期スコアを調整するステップを含む方法。
【請求項１１】  請求項１０の方法において、最高スコアを持つフレームを選択する前記ステップは、
調整スコアを比較し、
最高調節スコアに基づいて１つ又はそれ以上の並べ替えたキュウ内のキュウド・フレームを配置替えするステップを含む方法。
【請求項１２】  ファイバ・チャンネル・ファブリックを経て選択的に１つ又はそれ以上のフレームを送信する方法であって、
ファイバ・チャンネル・ファブリック内に１つ又はそれ以上のスイッチを備え、
１つ又はそれ以上のファイバ・チャンネル・スイッチにて１つ又はそれ以上のフレームを受信し、
１つ又はそれ以上のデータフレームの内容に初期スコアをわりあて、
１つ又はそれ以上の調整スコアを決める為に１つ又はそれ以上の代用のスコア要素により初期スコアを調整し、
１つ又はそれ以上の調整スコアを比較し、
１つ又はそれ以上のフレームから最高調整スコアを持つフレ−ムを選択し、
最高調整スコアを持つフレームを１つ又はそれ以上のファイバ・チャンネル・スイッチを通して発信する、
ステップを含む方法。
【請求項１３】  請求項１２の方法において、ファイバ・チャンネル・ファブリック内に１つ又はそれ以上のスイッチを備える前記ステップは、
１つ又はそれ以上のファイバ・チャンネル・スイッチを含み、
１つ又はそれ以上のファイバ・チャンネル・スイッチ内に１つ又はそれ以上のレジスタを置き、及び
１つ又はそれ以上のレジスタをプログラムする１つ又はそれ以上の手段を１つ又はそれ以上のファイバ・チャンネル・スイッチに設置する、
ステップを含む方法。
【請求項１４】  請求項１２の方法において、フレームを受信する前記ステップは、
１つ又はそれ以上のフレームを受信する為の１つ又はそれ以上の受信ポートを１つ又はそれ以上のファイバ・チャンネル・スイッチに備え、
１つ又はそれ以上のフレームを発信する為の１つ又はそれ以上の発信ポートを１つ又はそれ以上のファイバ・チャンネル・スイッチに備える、
ステップを含む方法。
【請求項１５】  請求項１２の方法において、１つ又はそれ以上のデータフレームの内容に初期スコアをわりあてる前記ステップは、１つ又はそれ以上のフレームの内容に初期スコアをわりあてるために少なくとも１つのＱｏＳ値を使用するステップを含む方法。
【請求項１６】    ファイバ・チャンネル・ファブリックを経て選択的に１つ又はそれ以上のフレームを送信する方法であって、
ファイバ・チャンネル・ファブリック内に１つ又はそれ以上のスイッチを備え、
１つ又はそれ以上のファイバ・チャンネル・スイッチにて１つ又はそれ以上のフレームを受信し、
少なくとも１つのＱｏＳ値を使用して、１つ又はそれ以上のデータフレームの内容に初期スコアをわりあて、
１つ又はそれ以上の調整スコアを決める為に１つ又はそれ以上の代用のスコア要素により初期スコアを調整し、
１つ又はそれ以上の調整スコアを比較し、
最高調整スコアを持つフレ−ムを選択し、
最高調整スコアを持つフレームを１つ又はそれ以上のファイバ・チャンネル・スイッチを通して発信し、
少なくとも１つのＱｏＳ値を使用する前記ステップは、
予め決められた審査すべきデータを１つ又はそれ以上のフレームの各々の特定の位置に見つけ、
１つ又はそれ以上のレジスタをプログラムする手段に含まれる１つまたはそれ以上のデータ・テンプレートにて予め決められたデータを審査し、
修正されたデータを得るためにデータ・マスクと予め決められたデータをビット毎にＡＮＤ操作を行い、
予め決められたデータと修正されたデータを比較し、
参加一致が存在するか決定する、
ステップを含む方法。
【請求項１７】  請求項１２の方法において、初期スコアを調整する前記ステップは、
受信ポート位置の関数としてバンド幅の割当によって初期スコアを増加し、
キュウ上の時間分初期スコアを増加する、
ステップを含む方法。
【請求項１８】  ファイバ・チャンネル・ファブリックを経て選択的に１つ又はそれ以上のフレームを送信する方法であって、
ファイバ・チャンネル・ファブリック内に１つ又はそれ以上のスイッチを備え、
１つ又はそれ以上のファイバ・チャンネル・スイッチにて１つ又はそれ以上のフレームを受信し、
１つ又はそれ以上のデータフレームの内容に初期スコアをわりあて、
１つ又はそれ以上の調整スコアを決める為に１つ又はそれ以上の代用のスコア要素により初期スコアを調整し、この初期スコアを調整するステップは参加一致しないフレームを選択するステップを含み、
１つ又はそれ以上の調整スコアを比較し、
１つ又はそれ以上のフレームから最高調整スコアを持つフレ−ムを選択し、
最高調整スコアを持つフレームを１つ又はそれ以上のファイバ・チャンネル・スイッチを通して発信する、
ステップを含む方法。
【請求項１９】  ファイバ・チャンネル・ファブリックを経てデータを選択的に送信するシステムであって、
１つ又はそれ以上のデータのフレームを受信する１つまたはそれ以上のスイッチ、
１つまたはそれ以上のスイッチに接続可能な１つ又はそれ以上のレジスタであって、各レジスタは１つ又はそれ以上のフレームに関連したスコアを記録することができるレジスタ、
データのフレームにスコアをわりあてるための手段であって、前記１つは又はそれ以上のレジスタと前記１つ又はそれ以上のフレームの間の１つ又はそれ以上の接続を含む手段、
最高スコアを持つフレームを１つ又はそれ以上のスイッチを経て送信する手段であって、前記１つは又はそれ以上のレジスタと前記１つ又はそれ以上のフレームの間の通信を含む手段；
を含むシステム。
【請求項２０】  ファイバ・チャンネル・ファブリックを経てデータのフレームを選択的に送信する請求項１９に記述したシステムにおいて、前記１つ又はそれ以上のスイッチはファイバ・チャンネル・スイッチであるシステム。
【請求項２１】  ファイバ・チャンネル・ファブリックを経てデータのフレームを選択的に送信する請求項２０に記述したシステムにおいて、前記スコアをわりあてる手段はプログラマブルであるシステム。
【請求項２２】  ファイバ・チャンネル・ファブリックを経てデータのフレームを選択的に送信する請求項２１に記述したシステムにおいて、前記スコアをわりあてる手段は１つ又はそれ以上のフレームの内容に初期スコアをわりあてる手段を含むシステム。
【請求項２３】  ファイバ・チャンネル・ファブリックを経てデータの１つ又はそれ以上のフレームを選択的に送信する請求項２２に記述したシステムにおいて、１つ又はそれ以上のフレームの内容は少なくとも１つのＱｏＳ値を使用してスコア付けされるシステム。
【請求項２４】  ファイバ・チャンネル・ファブリックを経てデータのフレームを選択的に送信する請求項２３に記述したシステムにおいて、前記スコアをわりあてる手段は１つ又はそれ以上の調整スコアを決めるために１つ又はそれ以上の代用スコア要素によって初期スコアを調整する手段を含むシステム。
【請求項２５】  ファイバ・チャンネル・ファブリックを経てデータのフレームを選択的に送信する請求項２４に記述したシステムにおいて、前記スコアをわりあてる手段は送信のために最高のスコアを持つフレームを選択する手段を含むシステム。
【請求項２６】  ファイバ・チャンネル・ファブリックを経てデータのフレームを選択的に送信する請求項２５に記述したシステムにおいて、前記１つ又はそれ以上のレジスタはフレームの受信と送信の為の１つ又はそれ以上のポートを含むシステム。
【請求項２７】  請求項１の方法がさらに、
キュウ上の累積データ時間を計算するステップを有し、
データにスコアを割り当てるステップがさらにキュウ上の時間を基にしてなされる、方法。
【請求項２８】  請求項１の方法がさらに、
データのソースを識別する、ステップを有し、
データにスコアを割り当てるステップがさらにデータのソースを基にしてなされる、方法。
【請求項２９】  請求項１の方法がさらに、
キュウ上の累積データ時間を計算し、
データのソースを識別する、ステップを有し、
データにスコアを割り当てる前記ステップがさらにキュウ上の時間とデータのソースを基にしてなされる、方法。
【請求項３０】  請求項２７の方法において、キュウ上の累積データ時間を計算する前記ステップは、キュウ上のデータ時間をミリセコンド（ｍｓ）毎に測定することを含む方法。
【請求項３１】  請求項２８の方法において、データのソースの識別する前記ステップは、データが位置するルーティング・デバイス上の接続の位置を見つけるステップを含む方法。
【請求項３２】  請求項１６の方法において、初期スコアを調整する前記ステップは、
受信ポート位置の関数として、前記初期スコアを帯域幅割り当て分増加し、
キュウ上の時間分初期スコアを増加するステップを含む、方法。